(57)【要約】      （修正有）【課題】製造コストの低減化を図ることができると共に、靴装着者の足の寸法に容易に合わせることができるインソールを提供する。【解決手段】インソールは、靴に装着して使用するインソールであって、このインソールの裏面は、平面視、爪先側曲線部１と、踵側曲線部と、この踵側曲線部と爪先側曲線部１とを接続する外側曲線部と、踵側曲線部と爪先側曲線部１とを接続する内側曲線部とを有し、インソールの裏面であって、インソールの踵より爪先に近い側に、爪先側曲線部１の曲線に沿う複数の爪先側切れ込み１１が設けられているものである。【選択図】図３
0003224902.tif 000002
【実用新案登録請求の範囲】
【請求項１】
靴に装着して使用するインソールであって、
このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、
前記インソールの裏面であって、前記インソールの踵より爪先に近い側に、前記爪先側曲線部の曲線に沿う複数の爪先側切れ込みが設けられている
ことを特徴とするインソール。
【請求項２】
靴に装着して使用するインソールであって、
このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、
前記インソールの裏面であって、前記インソールの爪先より踵に近い側に、前記踵側曲線部の曲線に沿う複数の踵側切れ込みが設けられている
ことを特徴とするインソール。
【請求項３】
靴に装着して使用するインソールであって、
このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、
前記インソールの裏面であって、前記インソールの踵より爪先に近い側に、前記爪先側曲線部の曲線に沿う複数の爪先側切れ込みが設けられ、
前記インソールの裏面であって、前記インソールの爪先より踵に近い側に、前記踵側曲線部の曲線に沿う複数の踵側切れ込みが設けられている
ことを特徴とするインソール。
【請求項４】
爪先側切れ込みがインソールの表面に達していない
ことを特徴とする請求項１又は請求項３記載のインソール。
【請求項５】
踵側切れ込みがインソールの表面に達していない
ことを特徴とする請求項２又は請求項３記載のインソール。
【考案の詳細な説明】
【技術分野】
【０００１】
本考案は、インソールに係り、特に、製造コストの低減化を図ることができると共に、靴装着者の足の寸法に容易に合わせることができるインソールに関する。
【背景技術】
【０００２】
従来、短靴にインソールが使用される（特許文献１参照）。
インソールを製造する製造業者は、寸法の異なるインソールごとに型材を使用して製造している。
【先行技術文献】
【特許文献】
【０００３】
【特許文献１】意匠登録第１６３７７４７号公報
【考案の概要】
【考案が解決しようとする課題】
【０００４】
そのため、複数の型材を使用するため、製造コストがかかるという問題点が生じた。
【０００５】
本考案は、上記の問題点を考慮してなされたインソールを提供することにある。
【課題を解決するための手段】
【０００６】
請求項１記載のインソールは、靴に装着して使用するインソールであって、このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、前記インソールの裏面であって、前記インソールの踵より爪先に近い側に、前記爪先側曲線部の曲線に沿う複数の爪先側切れ込みが設けられているものである。
【０００７】
また、請求項２記載のインソールは、靴に装着して使用するインソールであって、このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、前記インソールの裏面であって、前記インソールの爪先より踵に近い側に、前記踵側曲線部の曲線に沿う複数の踵側切れ込みが設けられているものである。
【０００８】
また、請求項３記載のインソールは、靴に装着して使用するインソールであって、このインソールの裏面は、平面視、爪先側曲線部と、踵側曲線部と、この踵側曲線部と前記爪先側曲線部とを接続する外側曲線部と、前記踵側曲線部と前記爪先側曲線部とを接続する内側曲線部とを有し、前記インソールの裏面であって、前記インソールの踵より爪先に近い側に、前記爪先側曲線部の曲線に沿う複数の爪先側切れ込みが設けられ、前記インソールの裏面であって、前記インソールの爪先より踵に近い側に、前記踵側曲線部の曲線に沿う複数の踵側切れ込みが設けられているものである。
【０００９】
また、請求項４記載のインソールは、請求項１又は請求項３記載のインソールにおいて、爪先側切れ込みがインソールの表面に達していないものである。
【００１０】
また、請求項５記載のインソールは、請求項２又は請求項３記載のインソールにおいて、踵側切れ込みがインソールの表面に達していないものである。
【考案の効果】
【００１１】
請求項１記載のインソールによれば、インソールの裏面であって、前記インソールの踵より爪先に近い側に、爪先側曲線部の曲線に沿う複数の爪先側切れ込みが設けられているため、多様な靴装着者の足の寸法に一つのインソールにより対応でき、製造コストの低減化を図ることができ、しかも、靴装着者は、靴装着者の足の寸法に合わせて、複数の爪先側切れ込みの内、何れかの爪先側切れ込みに合わせてハサミ等を使用して余分のインソールの部位を容易かつ迅速に切断することができる。
【００１２】
また、請求項２記載のインソールによれば、インソールの裏面であって、前記インソールの爪先より踵に近い側に、踵側曲線部の曲線に沿う複数の踵側切れ込みが設けられているため、多様な靴装着者の足の寸法に一つのインソールにより対応でき、製造コストの低減化を図ることができ、しかも、靴装着者は、靴装着者の足の寸法に合わせて、複数の踵側切れ込みの内、何れかの踵側切れ込みに合わせてハサミ等を使用して余分のインソールの部位を容易かつ迅速に切断することができる。
【００１３】
また、請求項３記載のインソールによれば、インソールの裏面であって、前記インソールの踵より爪先に近い側に、爪先側曲線部の曲線に沿う複数の爪先側切れ込みが設けられ、前記インソールの裏面であって、前記インソールの爪先より踵に近い側に、前記踵側切れ込みの曲線に沿う複数の踵側切れ込みが設けられているため、多様な靴装着者の足の寸法に一つのインソールにより対応でき、製造コストの低減化を図ることができ、しかも、靴装着者は、靴装着者の足の寸法に合わせて、複数の爪先側切れ込み及び/又は複数の踵側切れ込みの内、何れかの爪先側切れ込み及び/又は踵側切れ込みに合わせてハサミ等を使用して余分のインソールの部位を容易かつ迅速に切断することができる。
【００１４】
また、請求項４記載のインソールによれば、上述した請求項１又は請求項３記載の考案の効果に加え、爪先側切れ込みがインソールの表面に達していないため、残存している爪先側切れ込みの切断を防ぐことができる。
【００１５】
また、請求項５記載のインソールによれば、上述した請求項２又は請求項３記載の考案の効果に加え、踵側切れ込みがインソールの表面に達していないため、残存している踵側切れ込みの切断を防ぐことができる。
【図面の簡単な説明】
【００１６】
【図１】図１は、本考案の一実施例のインソールの表面を上方から撮影した写真である。
【図２】図２は、図１のインソールの裏面を上方から撮影した写真である。
【図３】図３は、図２のインソールの爪先側切れ込み近傍を撮影した写真である。
【図４】図４は、図３のインソールの爪先側切れ込みを手で広げた状態を撮影した写真である。
【図５】図５は、図２の踵側切れ込み近傍を撮影した写真である。
【図６】図６は、図５の踵側切れ込みを手で広げた状態を撮影した写真である。
【考案を実施するための形態】
【００１７】
本考案の一実施例のインソールを図１乃至図６を参照して説明する。
【００１８】
図１に示すＩは靴に装着して使用するインソールで、インソールＩは、例えば、ウレタン等の合成樹脂で成形され、インソールＩの裏面は、図２に示すように、平面視、爪先側曲線部１と、踵側曲線部２と、この踵側曲線部２と爪先側曲線部１とを接続する外側曲線部３と、踵側曲線部２と爪先側曲線部１とを接続する内側曲線部４とを有している。
【００１９】
また、図４に示す１１は、インソールＩの裏面であって、インソールＩの踵より爪先に近い側に、爪先側曲線部１の曲線に沿う爪先側切れ込みで、爪先側切れ込み１１は、複数設けられている。
なお、図１に示す５は、土踏まずを刺激する突起である。また、図４に示すように、爪先側切れ込み１１がインソールＩの表面に達していないため、残存している爪先側切れ込み１１の切断を防ぐことができる。
また、図６に示す２１は、インソールＩの裏面であって、インソールＩの爪先より踵に近い側に、踵側曲線部２の曲線に沿う踵側切れ込みで、踵側切れ込み２１は、複数設けられている。踵側切れ込み２１がインソールＩの表面に達していないため、残存している踵側切れ込み２１の切断を防ぐことができる。
【００２０】
従って、上述したインソールＩによれば、多様な靴装着者の足の寸法に一つのインソールＩにより対応でき、製造コストの低減化を図ることができ、しかも、靴装着者は、靴装着者の足の寸法に合わせて、複数の爪先側切れ込み１１及び/又は複数の踵側切れ込み２１の内、何れかの爪先側切れ込み及び/又は踵側切れ込み２１に合わせてハサミ等を使用して余分のインソールＩの部位を容易かつ迅速に切断することができる。
【００２１】
なお、上述した実施例のインソールＩにあっては、複数の爪先側切れ込み１１と複数の踵側切れ込み２１の両方を設けたが、場合により、いずれか一方を省略しても良い。
即ち、インソールＩの裏面は、平面視、爪先側曲線部１と、踵側曲線部２と、この踵側曲線部２と爪先側曲線部１とを接続する外側曲線部３と、踵側曲線部２と爪先側曲線部１とを接続する内側曲線部４とを有し、インソールＩの裏面であって、インソールＩの踵より爪先に近い側に、爪先側曲線部１の曲線に沿う複数の爪先側切れ込み１１が設けられているインソールＩでも良く、
また、このインソールＩの裏面は、平面視、爪先側曲線部１と、踵側曲線部２と、この踵側曲線部２と爪先側曲線部１とを接続する外側曲線部３と、踵側曲線部２と爪先側曲線部１とを接続する内側曲線部４とを有し、インソールＩの裏面であって、インソールＩの爪先より踵に近い側に、踵側曲線部２の曲線に沿う複数の踵側切れ込み２１が設けられているインソールＩでも良い。
【符号の説明】
【００２２】
Ｉ      インソール
１      爪先側曲線部
２       爪先側曲線部
３       外側曲線部
４       内側曲線部
５       突起
１１    爪先側切れ込み
２１    踵側切れ込み
【図１】
0003224902.tif 000003
【図２】
0003224902.tif 000004
【図３】
0003224902.tif 000005
【図４】
0003224902.tif 000006
【図５】
0003224902.tif 000007
【図６】
0003224902.tif 000008